(57)【要約】【課題】  排紙積載位置から排紙取り出し位置に回動する補助排紙トレイを備え、画像記録済みの記録紙を容易に取り出すことができる画像形成装置を提供する。【解決手段】  画像形成装置１０の箱体内部に形成された空間（胴内）の底面に主排紙トレイ２０ａが配置され、その上に補助排紙トレイ２０ｂが回動軸２１により回動自在に装着され、その側面に設けられたレバー２２は、胴内側面の開口部１０Ｃに露出している。補助排紙トレイ２０ｂが回動する回動線の先に位置する主排紙トレイ２０ａの右下隅には補助排紙トレイ２０ｂ上に排紙された記録紙の落下を防止するため、主排紙トレイ２０ａの一部を隆起させた記録紙落下防止構造（先端部２０ａ１）が設けられている。落下防止構造には、この他補助排紙トレイの回動に連動して押上げられる部材、或いは横方向に移動する部材等の構成がある。【選択図】        図３
2008292637.tif 000002
【特許請求の範囲】
【請求項１】
画像形成装置の本体内部に形成された空間に、画像記録済みの記録紙を収容する排紙トレイを備えた画像形成装置において、
前記排紙トレイは、主排紙トレイと補助排紙トレイとから構成され、補助排紙トレイは主排紙トレイの上面に、排紙積載位置から排紙取り出し位置に回動自在に配置され、
主排紙トレイの端部には、補助排紙トレイが排紙取り出し位置に回動したとき記録紙の落下を防止する落下防止構造が形成されていること
を特徴とする画像形成装置。
【請求項２】
前記主排紙トレイ端部に形成された落下防止構造は、主排紙トレイの端部を隆起させて形成された落下防止部材であること
を特徴とする請求項１に記載の画像形成装置。
【請求項３】
前記主排紙トレイ端部に形成された落下防止構造は、主排紙トレイの端部先端から内側の記録紙積載面に位置すること
を特徴とする請求項１に記載の画像形成装置。
【請求項４】
前記主排紙トレイ端部に形成された落下防止構造の表面は、補助排紙トレイの記録紙積載面の表面よりも高摩擦係数の表面に形成されていること
を特徴とする請求項１に記載の画像形成装置。
【請求項５】
前記主排紙トレイ端部に形成された落下防止構造は、補助排紙トレイの回動に連動して隆起する落下防止部材であること
を特徴とする請求項１に記載の画像形成装置。
【請求項６】
前記主排紙トレイ端部に形成された落下防止構造は、補助排紙トレイの回動に連動して略補助排紙トレイの回動方向に延長される落下防止部材であること
を特徴とする請求項１に記載の画像形成装置。
【発明の詳細な説明】
【技術分野】
【０００１】
この発明は、電子複写機、プリンタやその複合機などの画像形成装置に関する。
【背景技術】
【０００２】
従来、電子複写機、プリンタやその複合機などの画像形成装置においては、画像記録の終了した記録紙を排出する排紙トレイは、画像形成装置の側面などに配置されており、画像形成装置から外側に張り出していた。このため、画像形成装置自体の寸法よりも大きな設置面積が必要となり、画像形成装置の小型化を図る上での支障の１つであった。
【０００３】
また、画像形成装置の胴部に、即ち原稿画像を読み取る画像読取部の下側に排紙トレイが配置されている構成では、記録紙の取り出しにくいこと、記録紙の視認がしにくいこと、記録紙の取り出しの際、落下させてしまうという不都合があった。
【０００４】
このような課題を解決する手段の１つとして、排紙トレイの一端に垂直方向に伸びる回動軸を設けると共に用紙押さえ部材を設け、画像形成装置の正面から用紙押さえ部材を備えた排紙トレイ全体を回動軸の回りに回動させて引き出すことができるように構成した、回動型の排紙トレイを備えた画像形成装置が提案されている（特許文献１参照）。
【０００５】
また、上記した回動型の排紙トレイを移動指令に基づいて動力で廻転させるとともに、用紙サイズに応じて回動角を変更するように構成された動力回動型の排紙トレイを備えた画像形成装置が提案されている（特許文献２参照）。
【特許文献１】特開２００１−２０６６０９号公報
【特許文献２】特開２０００−４４１０７号公報
【発明の開示】
【発明が解決しようとする課題】
【０００６】
しかしながら、前記した回動型の排紙トレイでは、排紙トレイ全体を回動させないと記録紙を取り出すことができないこと、用紙押さえ部材とその退避機構を必要とすること、排紙トレイの数を増加させるには排紙トレイ自体を薄くする必要があること等のため、製造コストを高める結果となる。
【０００７】
また、前記した動力回動型の排紙トレイでは、排紙トレイの回動駆動機構を必要とするほか、排紙トレイの駆動制御が複雑となり、さきの構成と同様に製造コストを高める結果となる。この発明は上記した種々の課題を解決することを目的とするものである。
【課題を解決するための手段】
【０００８】
この発明は上記課題を解決するもので、請求項１の発明は、画像形成装置の本体内部に形成された空間に、画像記録済みの記録紙を収容する排紙トレイを備えた画像形成装置において、前記排紙トレイは、主排紙トレイと補助排紙トレイとから構成され、補助排紙トレイは主排紙トレイの上面に、排紙積載位置から排紙取り出し位置に回動自在に配置され、主排紙トレイの端部には、補助排紙トレイが排紙取り出し位置に回動したとき記録紙の落下を防止する落下防止構造が形成されていることを特徴とする画像形成装置である。
【０００９】
そして、前記主排紙トレイ端部に形成された落下防止構造は、主排紙トレイの端部を隆起させて形成された落下防止部材である。
【００１０】
また、前記主排紙トレイ端部に形成された落下防止構造は、主排紙トレイの端部先端から内側の記録紙積載面に位置するものとする。
【００１１】
また、前記主排紙トレイ端部に形成された落下防止構造の表面は、補助排紙トレイの記録紙積載面の表面よりも高摩擦係数の表面に形成するとよい。
【００１２】
また、前記主排紙トレイ端部に形成された落下防止構造は、補助排紙トレイの回動に連動して隆起する落下防止部材であってもよい。
【００１３】
また、前記主排紙トレイ端部に形成された落下防止構造は、補助排紙トレイの回動に連動して略補助排紙トレイの回動方向に延長される落下防止部材であってもよい。
【発明の効果】
【００１４】
この発明によれば、画像形成装置の本体内部に形成された空間に排紙トレイが配置されており、排紙トレイは主排紙トレイと補助排紙トレイとから構成され、補助排紙トレイは主排紙トレイの上面に、排紙積載位置から排紙取り出し位置に回動自在に配置されている。そして、主排紙トレイの端部には、記録紙の落下を防止する落下防止構造が形成されているから、補助排紙トレイが排紙取り出し位置に回動したとき記録紙が落下するおそれがなく、容易に画像記録済みの記録紙を取り出すことができる。
【００１５】
そして、この構成によれば、用紙押さえ部材とその退避機構を必要とせず、また排紙トレイの回動駆動機構を必要としない簡単な構成であるから、製造コストを高めることもない。
【発明を実施するための最良の形態】
【００１６】
図１は、この発明の実施の形態の排紙トレイを備えた画像形成装置の構成の概略を説明する断面図である。画像形成装置自体は公知の構成であるから、詳細な説明は省略するが、画像形成装置１０は、装置上面にプラテンガラス１１が配置され、プラテンガラス１１の下側裏面にスキャナ１２が配置され、スキャナ１２の下側には感光体を備えた作像部１３が配置されている。装置の底部には記録紙Ｐを収納した給紙カセット１４が配置され、記録紙Ｐが作像部１３に給紙されるよう構成されている。
【００１７】
また、作像部１３内部の記録紙Ｐの搬送路の出口には、排紙ローラ対１５が配置され、排紙ローラ対１５の記録紙搬送方向下流側には、この発明に係る排紙トレイ２０が、画像形成装置１０の箱体内部に形成された空間（胴内）に配置されている。排紙トレイ２０の構成は後で詳細に説明する。
【００１８】
画像形成装置１０の動作を簡単に説明する。プラテンガラス１１の上に配置された原稿画像がスキャナ１２により読み取られ、スキャナ１２から出力された画像信号によりレーザ装置から放射されるレーザ光が変調される。画像信号で変調されたレーザ光は、作像部１３の内部に配置された感光体上に投射され、画像潜像が形成される。画像潜像は作像部１３の内部に配置された現像装置のトナーにより現像され、トナー像が形成される。
【００１９】
感光体の回動により感光体上のトナー像が転写位置に来るタイミングに合わせて給紙カセット１４から記録紙Ｐが搬送され、トナー像が記録紙Ｐの上に転写される。この後、トナー像が転写された記録紙Ｐは定着装置で定着処理され、排紙ローラ対１５を経て排紙トレイ２０の上に排出される。
【００２０】
上記した画像形成装置の構成は、画像形成装置の一例であって、この発明に係る排紙トレイ２０は、上記した画像形成装置ばかりでなく、その他の構成の画像形成装置、例えばフルカラーの画像形成装置にも適用することができることは言うまでもない。
【００２１】
図２及び図３は、この発明に係る排紙トレイ２０とその付近の構成を説明する平面図で、図２は補助排紙トレイ２０ｂが排紙積載位置にある状態を示している。なお、点線は補助排紙トレイ２０ｂの排紙取り出し位置を示す。図３は補助排紙トレイ２０ｂが排紙取り出し位置にある状態を示している。なお、点線は補助排紙トレイ２０ｂの排紙積載位置を示す。
【００２２】
図２及び図３において、１０Ａ及び１０Ｂは、画像形成装置１０の箱体の一部を構成する部材であって、１０Ａ及び１０Ｂの上に前記したスキャナ１２、及びプラテンガラス１１が配置されている。１０Ｃは画像形成装置１０の箱体内部に形成された空間（胴内）の側面に形成された開口部である。また１０Ｄは、作像部１３の上に配置されたカバー部材であって、カバー部材１０Ｄの下側に排紙ローラ対１５が配置されている。
【００２３】
排紙トレイ２０は、主排紙トレイ２０ａと補助排紙トレイ２０ｂとから構成され、主排紙トレイ２０ａは、画像形成装置１０の箱体内部に形成された空間（胴内）の底面に別部材として配置される。主排紙トレイ２０ａには、部材１０Ａに設けた受１０Ａ１に嵌合する凸部２０ａｄが形成されており、主排紙トレイ２０ａの端部は上下に揺動可能に構成されている。
【００２４】
補助排紙トレイ２０ｂは、その隅に設けられた回動軸２１により主排紙トレイ２０ａの上に回動自在に装着されており、補助排紙トレイ２０ｂは、その側面にレバー２２が設けられており、レバー２２は前記した開口部１０Ｃに露出している。
【００２５】
定着処理された画像記録済みの記録紙の排紙時は、補助排紙トレイ２０ｂは、図２に示す排紙積載位置に設定されている。また、画像記録済みの記録紙の取り出し時は、レバー２２を矢印ｄ方向に引いて補助排紙トレイ２０ｂを回動角θだけ回動させ、図３に示す排紙取り出し位置に回動させる。
【００２６】
画像形成装置１０の箱体の一部を構成する部材１０Ｂには、補助排紙トレイ２０ｂの側面に当接し、補助排紙トレイ２０ｂの回動角θを規制する規制部材２３が矢印ｄ方向に突出／後退可能に設けられ、排出される記録紙Ｐのサイズにより突出長さ寸法が変更されるように構成されている。
【００２７】
規制部材２３は、ゴムその他の弾性材で構成され、補助排紙トレイ２０ｂの側面が規制部材２３に当接するとき、補助排紙トレイ２０ｂに加わる衝撃を緩和するように構成されている。
【００２８】
以下、この発明の特徴部分の構成である排紙トレイ２０に設けられた記録紙落下防止構造を説明する。記録紙落下防止構造には複数の実施例がある。以下順次説明する。
【００２９】
［第１実施例の主排紙トレイの記録紙落下防止構造］
図４は、第１実施例の主排紙トレイ２０ａの記録紙落下防止構造を説明する図で、図４（ａ）はその平面図、図４（ｂ）は先端部２０ａ１が隆起していない状態を示す要部の断面図、図４（ｃ）は先端部２０ａ１が隆起した状態を示す要部の断面図である。
【００３０】
図４（ａ）に示すように、排紙トレイ２０に設けられた記録紙落下防止構造は、補助排紙トレイ２０ｂを矢印ｄ方向に引いて補助排紙トレイ２０ｂを排紙取り出し位置に回動させるとき、補助排紙トレイ２０ｂから落下しないように、補助排紙トレイ２０ｂが通過する主排紙トレイ２０ａの右下の先端部２０ａ１を、図４（ｂ）の状態から図４（ｃ）に示す状態に先端に向かって次第に隆起させた構造である。
【００３１】
これにより、補助排紙トレイ２０ｂを排紙取り出し位置に回動させるとき、記録紙の先端が主排紙トレイ２０ａの先端部２０ａ１により押し上げられ、補助排紙トレイ２０ｂから落下しない。
【００３２】
［第２実施例の主排紙トレイの記録紙落下防止構造］
図５は、第２実施例の主排紙トレイ２０ａの記録紙落下防止構造を説明する図で、図５（ａ）はその平面図、図５（ｂ）は先端部２０ａ３が隆起していない状態を示す要部の断面図、図５（ｃ）は先端部２０ａ１が隆起した状態を示す要部の断面図である。
【００３３】
図５（ａ）乃至図５（ｃ）に示すように、先端部２０ａ３はヒンジ２０ａ４で主排紙トレイ２０ａに連結され、先端部２０ａ３の裏面には突起２０ａ５が設けられている。
【００３４】
また、先端部２０ａ３の裏面には、前記突起２０ａ５を下側から押し上げる操作部材２０ａ６が配置されており、補助排紙トレイ２０ｂを排紙取り出し位置に回動させるとき、これに連動して操作部材２０ａ６が矢印ｆ方向に移動し、突起２０ａ５を下側から押し上げて先端部２０ａ３をヒンジ２０ａ４の回りに回動させるように構成されている。
【００３５】
これにより、補助排紙トレイ２０ｂを排紙取り出し位置に回動させるとき、記録紙の先端が主排紙トレイ２０ａの先端部２０ａ３により押し上げられ、補助排紙トレイ２０ｂから落下しない。
【００３６】
［第３実施例の主排紙トレイの記録紙落下防止構造］
図６は、第３実施例の主排紙トレイ２０ａの記録紙落下防止構造を説明する図で、図６（ａ）はその平面図、図６（ｂ）は先端部２０ａ７の移動状態を示す要部の断面図で、点線は先端部２０ａ７が移動した状態を示している。
【００３７】
図６（ａ）及び図６（ｂ）に示すように、先端部２０ａ７は、裏面に配置された操作部材２０ａ８に連結されており、補助排紙トレイ２０ｂを排紙取り出し位置に回動させるとき、これに連動して操作部材２０ａ８が矢印ｆ方向に移動し、先端部２０ａ７は、主排紙トレイ２０ａから離れた点線で示す位置に移動するように構成されている。
【００３８】
これにより、補助排紙トレイ２０ｂを排紙取り出し位置に回動させるとき、記録紙の先端は主排紙トレイ２０ａから離れた点線で示す位置に移動した先端部２０ａ７により下側から支承され、補助排紙トレイ２０ｂから落下しない。
【産業上の利用可能性】
【００３９】
画像形成装置の本体内部に形成された空間に、画像記録済みの記録紙を収容する排紙トレイを備えた画像形成装置であって、主排紙トレイの他、排紙積載位置から排紙取り出し位置に回動自在に配置された補助排紙トレイを備え、画像記録済みの記録紙を容易に取り出すことができる画像形成装置である。
【図面の簡単な説明】
【００４０】
【図１】この発明の実施の形態の排紙トレイを備えた画像形成装置の構成の概略を説明する断面図。
【図２】排紙トレイとその付近の構成を説明する平面図（補助排紙トレイが排紙積載位置にある状態）。
【図３】排紙トレイとその付近の構成を説明する平面図（補助排紙トレイが排紙取り出し位置にある状態）。
【図４】第１実施例の主排紙トレイの記録紙落下防止構造を説明する図。
【図５】第２実施例の主排紙トレイの記録紙落下防止構造を説明する図。
【図６】第３実施例の主排紙トレイの記録紙落下防止構造を説明する図。
【符号の説明】
【００４１】
１０  画像形成装置
１０Ａ、１０Ｂ  画像形成装置の箱体の一部を構成する部材
１０Ｃ  開口部
１０Ｄ  カバー部材
１１  プラテンガラス
１２  スキャナ
１３  作像部
１４  給紙カセット
１５  排紙ローラ対
２０  排紙トレイ
２０ａ  主排紙トレイ
２０ｂ  補助排紙トレイ
２１  回動軸
２２  レバー
２３  規制部材
２０ａ１、２０ａ３、２０ａ７  先端部
２０ａ４  ヒンジ
２０ａ５  突起
２０ａ６  操作部材
２０ａ８  操作部材
【図１】
2008292637.tif 000003
【図２】
2008292637.tif 000004
【図３】
2008292637.tif 000005
【図４】
2008292637.tif 000006
【図５】
2008292637.tif 000007
【図６】
2008292637.tif 000008